【事件の表示】
　特許第３２００７２２号「ボールペン」の請求項１に係る特許に対する特許異議の申立てについて、次のとおり決定する。
【結　論】
　訂正を認める。
　特許第３２００７２２号の請求項１に係る特許を維持する。
【理　由】
１．手続の経緯
　特許第３２００７２２号の請求項１に係る発明は、平成５年６月２５日に特許出願され、平成１３年６月２２日にその特許権の設定登録がなされ、その後、小野浩一より特許異議の申立てがなされ、取消しの理由が通知され、その指定期間内である平成１４年１０月３日に訂正請求がなされたものである。
　
２．訂正の適否についての判断
2-1．訂正の内容
（1）訂正事項ａ
　特許権設定登録時の明細書（以下、「特許明細書」という。）の特許請求の範囲の請求項１における、
「ボールペンチップ（６）がインキ収容筒（５）にチップホルダー（７）を介して取り付けられたボールペンレフィール（４）を軸筒（１）内に収容し、該軸筒（１）の先端孔（３１）より前記ボールペンチップ（６）を突出させたボールぺンにおいて、前記チップホルダー（７）を合成樹脂により構成するとともに、前記先端孔（３１）をストレート状に貫設し、前記先端孔（３１）内壁に前記チップホルダー（７）の前部を圧接させてなることを特徴とするボールペン。」を、
「ボールペンチップ（６）がインキ収容筒（５）にチップホルダー（７）を介して取り付けられたボールペンレフィール（４）を軸筒（１）内に収容し、該軸筒（１）の先端孔（３１）より前記ボールペンチップ（６）を突出させ、前記軸筒（１）が、外軸（２）と、該外軸（２）の先端に螺合される先口（３）とからなるボールぺンにおいて、前記チップホルダー（７）を合成樹脂により構成するとともに前記先口（３）を金属により構成し、前記先口（３）にストレート状の先端孔（３１）を貫設し、前記先端孔（３１）内壁に前記チップホルダー（７）の前部を圧接させ、前記チップホルダー（７）が鍔部（７２）を有し、前記鍔部（７２）の後端が外軸（２）前端縁に当接されるとともに、前記鍔部（７２）の先端が先口（３）内壁のテーパ段部（３２）に圧接されてなることを特徴とするボールペン。」と訂正する。
（2）訂正事項ｂ
　特許明細書の段落【０００７】の、
「【課題を解決するための手段】
　本発明は、ボールペンチップ６がインキ収容筒５にチップホルダー７を介して取り付けられたボールペンレフィール４を軸筒１内に収容し、該軸筒１の先端孔３１より前記ボールペンチップ６を突出させたボールぺンであって、前記チップホルダー７を合成樹脂により構成するとともに、前記先端孔３１をストレート状に貫設し、前記先端孔３１内壁に前記チップホルダー７の前部を圧接させてなることを要件とする。」を、
「【課題を解決するための手段】
　本発明は、ボールペンチップ６がインキ収容筒５にチップホルダー７を介して取り付けられたボールペンレフィール４を軸筒１内に収容し、該軸筒１の先端孔３１より前記ボールペンチップ６を突出させ、前記軸筒１が、外軸２と、該外軸２の先端に螺合される先口３とからなるボールぺンであって、前記チップホルダー７を合成樹脂により構成するとともに前記先口３を金属により構成し、前記先口３にストレート状の先端孔３１を貫設し、前記先端孔３１内壁に前記チップホルダー７の前部を圧接させ、前記チップホルダー７が鍔部７２を有し、前記鍔部７２の後端が外軸２前端縁に当接されるとともに、前記鍔部７２の先端が先口３内壁のテーパ段部３２に圧接されてなることを要件とする。」と訂正する。
（3）訂正事項ｃ
　特許明細書の段落【００２３】の、
「尚、本実施例では、先端孔３１を有する先口３は金属製であったが、合成樹脂により構成してもよい。」を削除する。
　
2-2．訂正の目的の適否、新規事項の有無及び特許請求の範囲の拡張・変更の存否
　上記訂正事項ａについては、
　「軸筒（１）」の構成を、「軸筒（１）が、外軸（２）と、該外軸（２）の先端に螺合される先口（３）とからなる」と限定し、また、「先口（３）」の構成を、「先口（３）を金属により構成し、前記先口（３）にストレート状の先端孔（３１）を貫設し」と限定し、また、「チップホルダー（７）」の保持手段を、「チップホルダー（７）が鍔部（７２）を有し、前記鍔部（７２）の後端が外軸（２）前端縁に当接されるとともに、前記鍔部（７２）の先端が先口（３）内壁のテーパ段部（３２）に圧接されてなる」と限定したものであり、
　特許請求の範囲の減縮を目的とするものである。
　上記訂正事項ｂ及びｃについては、上記訂正事項ａにより訂正された特許請求の範囲の記載と発明の詳細な説明の記載の整合を図るものであり、明りようでない記載の釈明を目的とするものである。
　また、上記訂正事項ａ〜ｃは、願書に添付した明細書又は図面に記載した事項の範囲内の訂正であり、実質上特許請求の範囲を拡張し又は変更するものでもない。
　
2-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。
　
３．特許異議の申し立てについての判断
3-1．本件請求項１に係る発明
　上記「２．訂正の適否についての判断」で示したように上記訂正が認められるから、本件請求項１に係る発明は、上記訂正請求書に添付した訂正明細書の特許請求の範囲の請求項１に記載されたとおりのものである（上記「2-1．訂正の内容」の「（1）訂正事項ａ」の項参照）。
　
3-2．異議の申立ての理由の概要
　申立人小野浩一は、下記の証拠方法を提出し、以下のように主張する。
　本件請求項１に係る発明は、
　甲第１〜４号証に記載された発明であるから特許法第２９条第１項第３号の規定に該当し、特許を受けることができないものであり、
　また、甲第１〜４号証に記載された発明に基いて、または、甲第５号証に記載された発明に基いて、または、甲第６号証または甲第７号証に記載された発明と甲第１〜４号証のいずれかに記載された発明とを組み合わせることにより、当業者が容易に発明をすることができたものであるから特許法第２９条第２項の規定により、特許を受けることができないものであり、
　本件請求項１に係る発明の特許は、取り消されるべきである。
　　　　　　　　　　　　　　　　記
甲第１号証：実願昭４８−４６４９８号（実開昭４９−１４７０２２号）の　　　　　　マイクロフィルム
甲第２号証：実願昭４８−４６５００号（実開昭４９−１４７０２４号）の　　　　　　マイクロフィルム
甲第３号証：実願昭４９−４８５００号（実開昭５０−１３８１２１号）の　　　　　　マイクロフィルム
甲第４号証：実願昭４９−４８５０１号（実開昭５０−１３８１２２号）の　　　　　　マイクロフィルム
甲第５号証：実願昭４９−４８７５８号（実開昭５０−１３８１２３号）の　　　　　　マイクロフィルム
甲第６号証：実願昭４９−１２２０４７号（実開昭５１−４９１３６号）の　　　　　　マイクロフィルム
甲第７号証：実願昭４９−１２２０４９号（実開昭５１−４９１３８号）の　　　　　　マイクロフィルム
参考資料：特開平１−２３２０９８号公報
　
3-3．取消理由の概要
　当審で通知した取消理由の概要は、以下のものである。
　本件請求項１に係る発明は、下記の刊行物１記載の発明及び周知技術（上記甲第１〜７号証参照）に基いて当業者が容易に発明をすることができたものであり、本件発明の特許は、特許法第２９条第２項の規定に違反してなされたものである。
　　　　　　　　　　　　　　　　記
刊行物１：実公昭６１−４２８５１号公報
　
3-4．刊行物、甲各号証に記載された事項
　刊行物１には、「インキ収納筒を収容し後軸と先軸とを螺合して組立てられる筆記具において、・・・先端側には・・・先軸の内面テーパ部に圧接して密封構造を形成する先端外周部を具えてなるインキ収納筒。」（実用新案登録請求の範囲）、「先軸内テーパ部と圧接して、インキ収納筒は、外軸内を遊動することなく固定され、」（第１頁２欄２５〜２７行）、「この考案は、ボールペン・・・水性ボールペン等の筆記具のインキ収納筒の改良に関する。」（第１頁第１欄１１〜１３行）、「１はインキ収納筒であり、このインキ収納筒１にはインキ収納部２の先端に筆記部３を具え、・・・。筆記部３とインキ収納部２の接合部には先端外周部５を形成し、・・・。外軸７は、・・・後軸８と先端をテーパ部１１とする先軸１０とよりなり、両者は螺合して外軸７を構成する。・・・外軸７内部にインキ収納筒１を収納の上、インキ収納筒１の筆記部３の筆記部分を先軸１０の開口端より突出し、」（第２頁第３欄第４〜１５行）と記載され、これらの記載及び図面第２（水性ボールペン断面図）、３図の記載からみて、
「ボールペンチップがインキ収納部２に筆記部３を介して取り付けられたインキ収納筒１を外軸７内に収容し、該外軸７の開口端より前記ボールペンチップを突出させ、前記外軸７が、後軸８と、該後軸８の先端に螺合される先軸１０とからなるボールぺンにおいて、前記筆記部３が先端外周部５を有し、前記先端外周部５の先端が先軸１０の内面テーパ部１１に圧接されてなるボールペン。」の発明が記載されていると認められる。
　甲第１号証には、「本考案は、フェルトペン、サインペンと通称される筆記具や水溶性インキボールペンの如き筆記具に関するもので、・・・芯保持管を軸筒先端開口部に強固に固定することを目的としたものである。」（第１頁第１０〜１７行）、「芯保持管４は適宜の合成樹脂で形成し、軸筒先端開口部１’に挿着される部分４’の外周面には、第２図に示す如くの複数の突起５、５…が突設されている。この場合、突起迄含めた直径を軸筒先端開口部１’の孔径よりやや大径にしておく。」（第２頁第３〜７行）、「ストレート状に貫設された軸筒先端開口部１’に、第２図に示すような芯保持管４が押圧挿着されている」点（第１、２図）が、
　甲第２号証には、「本考案は、フェルトペン、サインペンと通称される筆記具や水溶性インキボールペンの如き筆記具に関するもので、・・・芯保持管を軸筒先端開口部に強固に固定する事を目的としたものである。」（第１頁第１１〜１７行）、「３は適宜の合成樹脂から成る芯保持管で、・・・挿着部３ａの外周面には第２図で示す如く複数の突起４、４…が突設されている。この場合、突起迄含めた直径を軸筒先端開口部ｌａの孔径よりやや大径にしておく。」（第２頁第１〜８行）、「ストレート状に貫設された軸筒先端開口部ｌａに、第２図に示すような芯保持管３が押圧挿着されている」点（第１、２図）が、
　甲第３号証には、「３は・・・軸方向に中心孔を貫通した合成樹脂製の芯保持具である。更に、この芯保持具３の小径部６の周囲には軸筒１へ芯保持具を嵌合した際に振れを防止し、嵌合部となる突起７が好ましくは対称形に設けられており、」（第２頁末行〜第３頁第７行）が、
　甲第４号証には、「合成樹脂よりなる芯保持具４をストレート状に貫設された軸筒１の先端孔内壁に嵌合させた筆記具。」（実用新案登録請求の範囲、第１、２図）が、
　甲第５号証には、「この考案の口金は、通常、熱可塑性樹脂で成形される」（第２頁第１６、１７行）、「口金が軸筒１１の前端のストレート状に貫設された口金挿着孔１０に圧入されている」点（第３図）が、
　甲第６号証には、「芯保持具２の密嵌部２’の周面に設けられた複数個の突起部５の頂部が、軸筒１のストレート状に貫設された空腔Ｈの内周面に密に内接された筆記具。」（実用新案登録請求の範囲、第１−ａ、１−ｂ図）が、
　甲第７号証には、「芯保持具２の密嵌部２’の中間部位の周面に設けられた複数個の突起部５の頂部が軸筒１のストレート状に貫設された空腔Ｈの内周面に密に内接された筆記具。」（実用新案登録請求の範囲、第１−ａ、１−ｂ図）が、
　参考資料には、「カートリッジＡは、ホルダーＢの筒孔９内に挿入され、ホルダーＢの先端からチップ６が突出し、これによって筆記可能な状態でホルダーＢに挿着される。」（第２頁右下欄第７〜１０行）、「ボールペンチップ６が磁石８を収容した部材を介してタンク１に取り付けられたカートリッジＡをホルダーＢ内に収容し、該ホルダーＢの先端孔より前記ボールペンチップ６を突出させたボールペン。」（第２図）が、それぞれ記載されている。
　
3-5．対比・判断
　本件請求項１に係る発明（以下「本件発明」という）と上記刊行物１に記載された発明（以下、「刊行物１記載の発明」という。）を対比すると、
　刊行物１記載の発明の「インキ収納部２」、「筆記部３」、「インキ収納筒１」、「外軸７」、「開口端」、「後軸８」、「先軸１０」、「先端外周部５」、「先軸１０の内面」は、それぞれ、本件発明の「インキ収容筒（５）」、「チップホルダー（７）」、「ボールペンレフィール（４）」、「軸筒（１）」、「先端孔（３１）」、「外軸（２）」、「先口（３）」、「鍔部（７２）」、「先口（３）内壁」に相当し、
　両者は、「ボールペンチップがインキ収容筒にチップホルダーを介して取り付けられたボールペンレフィールを軸筒内に収容し、該軸筒の先端孔より前記ボールペンチップを突出させ、前記軸筒が、外軸と、該外軸の先端に螺合される先口とからなるボールぺンにおいて、前記チップホルダーが鍔部を有し、前記鍔部の先端が先口内壁に圧接されてなるボールペン。」である点で一致するが、以下の点で相違する。
〈相違点〉
　本件発明が「チップホルダーを合成樹脂により構成するとともに先口を金属により構成し、前記先口にストレート状の先端孔を貫設し、前記先端孔内壁に前記チップホルダーの前部を圧接させ、前記チップホルダーの鍔部の後端が外軸前端縁に当接されるとともに、前記鍔部の先端が先口内壁のテーパ段部に圧接されてなる」構成であるのに対して、刊行物１記載の発明はこのような構成を備えていない点。
　そして、上記相違点に係る本件発明の構成は、上記甲第１〜７号証及び参考資料のいずれにも記載されておらず、周知であるということもできないものであり、本件発明は上記構成を備えることにより、「ボールペンレフィールを軸筒内にがたつきなく確実に保持することができる。」という本件訂正明細書に記載の効果を奏するものである。
　したがって、本件発明は、上記刊行物１に記載された発明及び周知技術に基いて当業者が容易に発明をすることができたものであるとも、また、上記甲第１〜４号証に記載された発明であるとも、甲第１〜４号証に記載された発明に基いて、または、甲第５号証に記載された発明に基いて、または、甲第６号証または甲第７号証に記載された発明と甲第１〜４号証のいずれかに記載された発明とを組み合わせることにより、当業者が容易に発明をすることができたものであるとも、いうことはできない。
　
3-6．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令２０５号）第４条第２項の規定により、結論のとおり決定する。
【異議決定日】
平成１４年１０月３０日（２００２．１０．３０）
【訂正の要旨】
（１）訂正事項ａ
　特許請求の範囲の減縮を目的として、特許明細書の特許請求の範囲の請求項１における、
「ボールペンチップ（６）がインキ収容筒（５）にチップホルダー（７）を介して取り付けられたボールペンレフィール（４）を軸筒（１）内に収容し、該軸筒（１）の先端孔（３１）より前記ボールペンチップ（６）を突出させたボールペンにおいて、前記チップホルダー（７）を合成樹脂により構成するとともに、前記先端孔（３１）をストレート状に貫設し、前記先端孔（３１）内壁に前記チップホルダー（７）の前部を圧接させてなることを特徴とするボールペン。」を、
「ボールペンチップ（６）がインキ収容筒（５）にチップホルダー（７）を介して取り付けられたボールペンレフィール（４）を軸筒（１）内に収容し、該軸筒（１）の先端孔（３１）より前記ボールペンチップ（６）を突出させ、前記軸筒（１）が、外軸（２）と、該外軸（２）の先端に螺合される先口（３）とからなるボールペンにおいて、前記チップホルダー（７）を合成樹脂により構成するとともに前記先口（３）を金属により構成し、前記先口（３）にストレート状の先端孔（３１）を貫設し、前記先端孔（３１）内壁に前記チップホルダー（７）の前部を圧接させ、前記チップホルダー（７）が鍔部（７２）を有し、前記鍔部（７２）の後端が外軸（２）前端縁に当接されるとともに、前記鍔部（７２）の先端が先口（３）内壁のテーパ段部（３２）に圧接されてなることを特徴とするボールペン。」と訂正する。
（２）訂正事項ｂ
　明りょうでない記載の釈明を目的として、特許明細書の発明の詳細な説明の欄の段落【０００７】の、
「【課題を解決するための手段】
　本発明は、ボールペンチップ６がインキ収容筒５にチップホルダー７を介して取り付けられたボールペンレフィール４を軸筒１内に収容し、該軸筒１の先端孔３１より前記ボールペンチップ６を突出させたボールペンであって、前記チップホルダー７を合成樹脂により構成するとともに、前記先端孔３１をストレート状に貫設し、前記先端孔３１内壁に前記チップホルダー７の前部を圧接させてなることを要件とする。」を、
「【課題を解決するための手段】
　本発明は、ボールペンチップ６がインキ収容筒５にチップホルダー７を介して取り付けられたボールペンレフィール４を軸筒１内に収容し、該軸筒１の先端孔３１より前記ボールペンチップ６を突出させ、前記軸筒１が、外軸２と、該外軸２の先端に螺合される先口３とからなるボールペンであって、前記チップホルダー７を合成樹脂により構成するとともに前記先口３を金属により構成し、前記先口３にストレート状の先端孔３１を貫設し、前記先端孔３１内壁に前記チップホルダー７の前部を圧接させ、前記チップホルダー７が鍔部７２を有し、前記鍔部７２の後端が外軸２前端縁に当接されるとともに、前記鍔部７２の先端が先口３内壁のテーパ段部３２に圧接されてなることを要件とする。」と訂正する。
（３）訂正事項ｃ
　明りょうでない記載の釈明を目的として、特許明細書の発明の詳細な説明の欄の段落【００２３】の、
「尚、本実施例では、先端孔３１を有する先口３は金属製であったが、合成樹脂により構成してもよい。」を削除する。
（５４）【発明の名称】
ボールペン
（５７）【特許請求の範囲】
　【請求項１】ボールペンチップ（６）がインキ収容筒（５）にチップホルダー（７）を介して取り付けられたボールペンレフィール（４）を軸筒（１）内に収容し、該軸筒（１）の先端孔（３１）より前記ボールペンチップ（６）を突出させ
、前記軸筒（１）が、外軸（２）と、該外軸（２）の先端に螺合される先口（３）とからなる
前記先口（３）を金属により構成し、前記先口（３）にストレート状の先端孔（３１）を貫設し
、前記チップホルダー（７）が鍔部（７２）を有し、前記鍔部（７２）の後端が外軸（２）前端縁に当接されるとともに、前記鍔部（７２）の先端が先口（３）内壁のテーパ段部（３２）に圧接され
【発明の詳細な説明】
　【０００１】
　【産業上の利用分野】
　本発明はボールペンに関する。さらに詳細には、ボールペンチップがインキ収容筒にチップホルダーを介して取り付けられたボールペンレフィールを軸筒内に収容し、該軸筒の先端孔より前記ボールペンチップを突出させたボールペンに関する。
　【０００２】
　【従来の技術】
　【０００３】
　従来、この種のボールペンにおいて、ボールペンレフィールを軸筒内に固定する手段として、例えば、軸筒先端のテーパ状内壁に、チップホルダーの鍔部を圧接してなる構造が、実公昭６１−４２８５１号公報に開示されている。
　【０００４】
　【発明が解決しようとする課題】
　ところが、前記従来の構造のものは、チップホルダーの後部が軸筒の前記テーパ状内壁により保持されていても、少なくともボールペンレフィール先端部（ボールペンチップあるいはチップホルダー先端部）と軸筒先端孔内壁の間に僅かながらも隙間が生じている。この隙間が大きいと、テーパ状内壁でチップホルダーを保持する構造であっても、筆記時、ボールペンチップと軸筒との間にがたつきが生じて、筆記感が悪くなる。また、テーパ状内壁で保持する構造のみでは、軸方向の寸法ばらつきによって確実な保持ができなくなることがある。つまり、従来の構造では、ボールペンレフィールを軸筒に保持する確実な構造とは言えず、前記がたつきに対して不十分なものであった。
　【０００５】
　また、先端孔を有する軸筒先端部が金属製であり、且つボールペンレフィールの先端孔に挿通される外周部分が金属製の場合、先端孔でボールペンレフィールを嵌合保持させると、嵌合力が増大してボールペンレフィールの交換作業を悪化させるため、前記嵌合保持構造を採ることはできない。そのため、従来では、その隙間をできるだけ小さく設定すること以外には、前記がたつき防止への対応ができなかった。
　【０００６】
　本発明は、前記問題点を解決するものであって、筆記時のボールペンレフィールと軸筒との間にがたつきがなく、良好な筆記感の得られるボールペンを提供しようとするものである。
　【０００７】
　【課題を解決するための手段】
　本発明は、ボールペンチップ６がインキ収容筒５にチップホルダー７を介して取り付けられたボールペンレフィール４を軸筒１内に収容し、該軸筒１の先端孔３１より前記ボールペンチップ６を突出させ
、前記軸筒１が、外軸２と、該外軸２の先端に螺合される先口３とからなる
前記先口３を金属により構成し、前記先口３にストレート状の先端孔３１を貫設し
、前記チップホルダー７が鍔部７２を有し、前記鍔部７２の後端が外軸２前端縁に当接されるとともに、前記鍔部７２の先端が先口３内壁のテーパ段部３２に圧接され
　【０００８】
　前記チップホルダー７には、前部外周に突条あるいは突起等を設け、先端孔３１内壁に圧接させる構成も有効である。
　【０００９】
　【作用】
　軸筒１の先端孔３１内壁はストレート状となっているため、ボールペンレフィール４の軸方向の寸法ばらつきを吸収する。それにより、前記ばらつきが生じたとしても、ボールペンレフィール４は軸筒１の先端孔３１に確実に圧入保持され、ボールペンレフィール４と軸筒１とのがたつきが確実に防止される。
　【００１０】
　また、チップホルダー７は合成樹脂で構成されているため、先端孔３１へ圧入時、径方向の変形が容易であるため、チップホルダー７と先端孔３１との嵌合保持構造にもかかわらず、ボールペンレフィール４のスムーズな交換が可能となる。
　【００１１】
　【実施例】
　本発明の第一実施例を図１乃至図３に示す。
　【００１２】
　軸筒１は、外軸２と先口３よりなり、外軸２の先端に先口３が螺合されている。前記外軸２は合成樹脂で、前記先口３は金属により構成される。また、前記先口３にはストレート状の先端孔３１が貫設されている。
　【００１３】
　ボールペンレフィール４は、ボールペンチップ６、チップホルダー７、インキ収容筒５よりなり、ボールペンチップ６を先端に圧入固着した合成樹脂製のチップホルダー７がインキ収容筒５の先端に取り付けられてなる構成である。前記インキ収容筒５内には、水性インキが収容され、その後端には、半流動物質よりなる逆流防止栓５１が充填されている。
　【００１４】
　前記ボールペンチップ６は、金属製パイプを外方から押圧変形し複数の内方突起を形成し、該内方突起をボール受座６１としたパイプ方式のボールペンチップ６である。
　【００１５】
　チップホルダー７は、後方に、大径部７１と鍔部７２を有しており、該大径部７１がインキ収容筒５先端に嵌入されるとともに、鍔部７２がインキ収容筒５前端縁に衝止してなる。また、チップホルダー７前部外周には、軸方向に延びる四本の突条７３が設けられ、該突条７３の外接円径は先口３のストレート状の先端孔３１内壁に圧接可能な寸法に設定される。
　【００１６】
　また、鍔部７２には、凹溝７６が設けられ、該凹溝７６と前記突条７３により、軸筒１内収容時、先端孔３１からインキ収容筒５への通気路が形成される。
　【００１７】
　前記ボールペンレフィール４は、後端に尾栓９を嵌着した外軸２の先端開口より挿入され、その後、先口３が該外軸２先端に螺合される。これにより、チップホルダー７の鍔部７２は、後端が外軸２前端縁に当接されるとともに、先端が、先口３内壁のテーパ段部３２に圧接される。さらに、チップホルダー７前部に配設の突条７３が先端孔３１内壁に圧接され、ボールペンレフィール４の軸筒１に対してがたつきのない、確実な保持が可能となる。
　【００１８】
　また、チップホルダー７先端外周には、金属製の保持筒８が嵌着され、ボールペンチップ６とチップホルダー７の固着をさらに強固なものとする。尚、前記保持筒８外周は、先端孔３１内壁とは、僅かの隙間を保ち、非接触状態にある。
　【００１９】
　ボールペンレフィール４（インキ収容筒５）の後端は、軸筒１内において尾栓９の突起９１によって軸方向に圧接保持されている。前記突起９１の先端は、尖成されており、インキ収容筒５後端に没入されるか、あるいはそれ自身が変形して、ボールペンレフィール４の軸方向のバラツキを吸収するとともに、落下衝撃によるインキ収容筒５のチップホルダー７から外れを、完全に防止できる。
　【００２０】
　図４及び図５は、第二実施例を示す。チップホルダー７前部外周に、八個の半球状突起７４を配設してなり、該半球状突起７４が、ストレート状の先端孔３１内壁と圧接してなる。前記半球状突起７４は、第一実施例の突条７３に比べ、先端孔３１内壁との摩擦抵抗が小であるため、先端孔３１への圧入が小さな力で済み、先口３の取り付けが容易となる。他の構成は第一実施例と同様である。
　【００２１】
　図６は第三実施例を示すものであり、チップホルダー７前部外周に、環状突起７５を設け、該環状突起７５がストレート状の先端孔３１内壁と圧接してなる構成である。
　【００２２】
　図７は第四実施例を示すものであり、チップホルダー７前部外周には、ただ単にチップホルダー７前部を先端孔３１内径より僅かに大径にして、該先端孔３１に圧入してなる構成であり、作用効果は前記実施例と同様である。
　【００２３】
　【００２４】
　【発明の効果】
　本発明ボールペンは、前記構成にしたことにより、ボールペンレフィールを軸筒内にがたつきなく確実に保持することができる。
【図面の簡単な説明】
　【図１】
本発明の第一実施例の縦断面図である。
　【図２】
図１の要部拡大縦断面図である。
　【図３】
図１のＡ−Ａ線断面図である。
　【図４】
第二実施例の要部拡大縦断面図である。
　【図５】
図４のＢ−Ｂ線断面図である。
　【図６】
第三実施例の要部拡大縦断面図である。
　【図７】
第四実施例の要部拡大縦断面図である。
　【符号の説明】
　１　軸筒
　２　外軸
　３　先口
　３１　先端孔
　３２　テーパ段部
　４　ボールペンレフィール
　５　インキ収容筒
　５１　逆流防止栓
　６　ボールペンチップ
　６１　ボール受座
　７　チップホルダー
　７１　大径部
　７２　鍔部
　７３　突条
　７４　半球状突起
　７５　環状突起
　７６　凹溝
　８　保持筒
　９　尾栓
　９１　突起